(57)【要約】【課題】  ６周波数帯域の信号を扱うようにしても回路規模を小さくする。【解決手段】  共用端子１０から入力された受信周波数帯域ＦＢｒの受信信号は、サーキュレータ１２−サーキュレータ１１を介してＢＰＦ１５に入力され、ＢＰＦ１５を通過した受信帯域ＦＢｒ２の受信信号が第２端子１７に接続された第２の無線機Ｂに入力される。また、ＢＰＦ１５を反射した受信帯域ＦＢｒ１，ＦＢｒ３の受信信号は、サーキュレータ１１を介して第１端子１３に接続された第１の無線機Ａに入力される。第１の無線機Ａからの送信帯域ＦＢｔ１，ＦＢｔ３の送信信号は、第１端子１３−サーキュレータ１１−サーキュレータ１２を介し、さらに、ＢＰＦ１６で反射されてサーキュレータ１２から共用端子１０に出力される。また、第２の無線機Ｂからの送信帯域ＦＢｔ２の送信信号は、第２端子１７−ＢＰＦ１６−サーキュレータ１２を介して共用端子１０に出力される。【選択図】  図１
2010062895.tif 000002
【特許請求の範囲】
【請求項１】
３つの受信帯域からなる受信周波数帯域の内の低域と高域の受信帯域を第１受信帯域とすると共に、該受信周波数帯域と離隔された３つの送信帯域からなる送信周波数帯域の内の低域と高域の送信帯域を第１送信帯域とする第１の無線機と、
前記受信周波数帯域の内の中域の受信帯域を第２受信帯域とすると共に、前記送信周波数帯域の内の中域の送信帯域を第２送信帯域とする第２の無線機と、
前記第１の無線機が接続された第１端子と、前記第２受信帯域のみを通過させる受信用バンドパスフィルタの入力側が接続された第２端子と、第３端子とを備える第１のサーキュレータと、
前記第１のサーキュレータの前記第３端子が接続された第１端子と、前記第２送信帯域のみを通過させる送信用バンドパスフィルタの出力側が接続された第２端子と、前記受信周波数帯域の信号が入力されると共に前記送信周波数帯域の信号が出力される共用端子が接続された第３端子とを備える第２のサーキュレータと、
出力側が前記第２の無線機に接続されている前記受信用バンドパスフィルタと、
入力側が前記第２の無線機に接続されている前記送信用バンドパスフィルタとを備え、
前記第１のサーキュレータにおける伝達方向は、前記第１端子から前記第３端子、前記第２端子から前記第１端子および前記第３端子から前記第２端子への方向とされ、前記第２のサーキュレータにおける伝達方向は、前記第１端子から前記第２端子、前記第２端子から前記第３端子および前記第３端子から前記第１端子への方向とされていることを特徴とする送受共用回路。
【請求項２】
３つの受信帯域からなる受信周波数帯域の内の低域と高域の受信帯域を第１受信帯域とすると共に、該受信周波数帯域と離隔された３つの送信帯域からなる送信周波数帯域の内の低域と高域の送信帯域を第１送信帯域とする第１の無線機と、
前記受信周波数帯域の内の中域の受信帯域を第２受信帯域とすると共に、前記送信周波数帯域の内の中域の送信帯域を第２送信帯域とする第２の無線機と、
前記第１の無線機が接続された第１端子と、前記第２受信帯域のみを通過させる受信用バンドパスフィルタの入力側および前記送信周波数帯域のみを通過させる送信帯域用バンドパスフィルタの入力側とが接続された第２端子と、第３端子とを備える第１のサーキュレータと、
前記第１のサーキュレータの前記第３端子が接続された第１端子と、前記第２送信帯域のみを通過させる送信用バンドパスフィルタの出力側が接続された第２端子と、前記受信周波数帯域の信号が入力されると共に前記送信周波数帯域の信号が出力される共用端子が接続された第３端子とを備える第２のサーキュレータと、
出力側がアイソレータの入力側に接続されている前記受信用バンドパスフィルタと、
前記送信用バンドパスフィルタの入力側が接続された第１端子と、前記第２の無線機に接続された第２端子と、前記アイソレータの出力側が接続された第３端子とを備える第３のサーキュレータと、
前記送信帯域用バンドパスフィルタの出力側に接続されている終端抵抗とを備え、
前記第１のサーキュレータおよび前記第３のサーキュレータにおける伝達方向は、前記第１端子から前記第３端子、前記第２端子から前記第１端子および前記第３端子から前記第２端子への方向とされ、前記第２のサーキュレータにおける伝達方向は、前記第１端子から前記第２端子、前記第２端子から前記第３端子および前記第３端子から前記第１端子への方向とされていることを特徴とする送受共用回路。
【発明の詳細な説明】
【技術分野】
【０００１】
本発明は、それぞれ異なる受信周波数帯域および送信周波数帯域を有する２台の無線機が１つの共用端子を共用して送受信するための送受共用回路に関するものである。
【背景技術】
【０００２】
第３世代携帯電話方式（３Ｇ）の一つである「Ｗ−ＣＤＭＡ（Wideband Code Division Multiple Access）」の高速データ通信規格「ＨＳＤＰＡ（High Speed Downlink Packet Access）」をさらに進化させたＬＴＥ（Long Term Evolution）と呼ばれる 携帯電話の高速なデータ通信仕様が提案されている。ＬＴＥは、スーパー３Ｇとも呼ばれ下り１００Ｍｂｐｓ以上／上り５０Ｍｂｐｓ以上の高速通信の実現を目指しており、Ｗ−ＣＤＭＡ方式の標準化団体３ＧＰＰ（3rd Generation Partnership Project）において、ＬＴＥの標準化が進められている。ＬＴＥは、広帯域化によるマルチパス発生で相互干渉が増えるのを防ぐ「ＶＳＦ−ＯＦＣＤＭ」など、第４世代移動体通信（４Ｇ）の候補となっている技術をいち早く導入しており、３Ｇと同一の周波数帯（３Ｇの周波数を活用）、周波数帯域幅（１．２５Ｍ／２．５Ｍ／５Ｍ／１０Ｍ／２０ＭＨｚ）を活用することで、４Ｇへの円滑な移行も見据えている。
【０００３】
ＬＴＥにおいて３Ｇの周波数を活用する場合の受信周波数帯域と送信周波数帯域とを図３を参照して説明する。図３は横軸が周波数とされており左側が低域、右側が高域とされている。受信周波数帯域は低域側に配置されており、受信周波数帯域と離隔されて高域側に送信周波数帯域が配置されている。受信周波数帯域は、受信周波数帯域を３つに分割したＦＢｒ１，ＦＢｒ２，ＦＢｒ３の３つの受信帯域からなり、送信周波数帯域は、送信周波数帯域を３つに分割したＦＢｔ１，ＦＢｔ２，ＦＢｔ３の３つの送信帯域から構成されている。この場合、３Ｇの携帯電話方式が使用する周波数帯域が、ＦＢｒ１，ＦＢｒ３の２つの受信帯域とＦＢｔ１，ＦＢｔ３の２つの送信帯域とされ、ＬＴＥの携帯電話方式が使用する周波数帯域が、ＦＢｒ２の受信帯域とＦＢｔ２の送信帯域とされる。図３に示すように、ＬＴＥにおいて３Ｇの周波数を活用していることから、携帯電話通信網における無線で送受信を行っている基地局や中継局においては既存のアンテナを３ＧとＬＴＥとで共用することができる。そして、アンテナと３Ｇの第１の無線機およびＬＴＥの第２の無線機との間に送受共用回路を接続することにより、受信周波数帯域の信号を第１の無線機およびＬＴＥの第２の無線機とに振り分けると共に、３Ｇの第１の無線機およびＬＴＥの第２の無線機からの送信帯域の信号を合成して共用端子から出力できるようにしている。
【発明の開示】
【発明が解決しようとする課題】
【０００４】
従来の送受共用回路の一例の構成を示す回路ブロック図を図４に示す。図４に示す送受共用回路１００において、共用端子１０１には例えば共用アンテナが接続され、受信帯域がＦＢｒ１，ＦＢｒ３、送信帯域がＦＢｔ１，ＦＢｔ３とされている３Ｇ用の無線機Ａ（１０４）が第１端子１０２に接続され、受信帯域がＦＢｒ２、送信帯域がＦＢｔ２とされているＬＴＥ用の無線機Ｂ（１０５）が第２端子１０３に接続されている。この送受共用回路１００の動作について説明すると、共用端子１０１に入力された共用アンテナ等からの３つの受信帯域ＦＢｒ１，ＦＢｒ２，ＦＢｒ３からなる受信周波数帯域ＦＢｒの受信信号は、送受信共用器１１０に入力される。送受信共用器１１０は、バンドパスフィルタ（ＢＰＦ）１１０ａとバンドパスフィルタ（ＢＰＦ）１１０ｂからなり、受信周波数帯域ＦＢｒが通過帯域とされ、３つの送信帯域ＦＢｔ１，ＦＢｔ２，ＦＢｔ３からなる送信周波数帯域ＦＢｔが阻止帯域とされているＢＰＦ１１０ａを、受信周波数帯域ＦＢｒの受信信号が通過して受信共用器１１１に入力される。なお、ＢＰＦ１１０ｂは受信周波数帯域ＦＢｒが阻止帯域とされ、送信周波数帯域ＦＢｔが通過帯域とされているため、受信周波数帯域ＦＢｒの受信信号はＢＰＦ１１０ｂで阻止される。
【０００５】
受信共用器１１１は、バンドエリミネーションフィルタ（ＢＥＦ）１１１ａとＢＰＦ１１１ｂからなり、２つの受信帯域ＦＢｒ１，ＦＢｒ３が通過帯域とされ、受信帯域ＦＢｒ２が阻止帯域とされているＢＥＦ１１１ａを、受信帯域ＦＢｒ１，ＦＢｒ３の受信信号が通過して送受信共用器１１２のＢＰＦ１１２ａに入力される。また、２つの受信帯域ＦＢｒ１，ＦＢｒ３が阻止帯域とされ、受信帯域ＦＢｒ２が通過帯域とされているＢＰＦ１１１ｂを、受信帯域ＦＢｒ２の受信信号が通過して送受信共用器１１４のＢＰＦ１１４ａに入力される。送受信共用器１１２は、ＢＰＦ１１２ａとＢＰＦ１１２ｂからなり、受信周波数帯域ＦＢｒが通過帯域とされ、送信周波数帯域ＦＢｔが阻止帯域とされているＢＰＦ１１２ａを、受信帯域ＦＢｒ１，ＦＢｒ３の受信信号が通過して第１端子１０２から出力されて無線機Ａに入力される。なお、ＢＰＦ１１２ｂは受信周波数帯域ＦＢｒが阻止帯域とされ、送信周波数帯域ＦＢｔが通過帯域とされているため、受信帯域ＦＢｒ１，ＦＢｒ３の受信信号はＢＰＦ１１２ｂを通過することはできない。また、送受信共用器１１４も送受信共用器１１２と同様に、ＢＰＦ１１４ａとＢＰＦ１１４ｂからなり、受信周波数帯域ＦＢｒが通過帯域とされ、送信周波数帯域ＦＢｔが阻止帯域とされているＢＰＦ１１４ａを、受信帯域ＦＢｒ２の受信信号が通過して第２端子１０３から出力されて無線機Ｂに入力される。なお、ＢＰＦ１１４ｂは受信周波数帯域ＦＢｒが阻止帯域とされ、送信周波数帯域ＦＢｔが通過帯域とされているため、受信帯域ＦＢｒ２の受信信号はＢＰＦ１１４ｂを通過することはできない。
【０００６】
そして、無線機Ａから出力される送信帯域ＦＢｔ１，ＦＢｔ３の送信信号は第１端子１０２に入力されて、送受信共用器１１２に入力される。そして、送信帯域ＦＢｔ１，ＦＢｔ３の送信信号はＢＰＦ１１２ａでは阻止されるが、ＢＰＦ１１２ｂを通過して送信共用器１１３のＢＥＦ１１３ａに入力される。送信共用器１１３は、送信帯域ＦＢｔ１，ＦＢｔ３を通過帯域とし、送信帯域ＦＢｔ２を阻止帯域とするＢＥＦ１１３ａと、送信帯域ＦＢｔ２を通過帯域とし、送信帯域ＦＢｔ１，ＦＢｔ３および受信周波数帯域ＦＢｒを阻止帯域とするＢＰＦ１１３ｂからなる。ＢＥＦ１１３ａに入力された送信帯域ＦＢｔ１，ＦＢｔ３の送信信号は、ＢＥＦ１１３ａを通過して送信共用器１１３から出力される。また、無線機Ｂから出力される送信帯域ＦＢｔ２の送信信号は第２端子１０３に入力されて、送受信共用器１１４に入力される。そして、送信帯域ＦＢｔ２の送信信号はＢＰＦ１１４ａでは阻止されるが、ＢＰＦ１１４ｂを通過して送信共用器１１３のＢＰＦ１１３ｂに入力される。送信帯域ＦＢｔ２の送信信号は、送信帯域ＦＢｔ２を通過帯域とするＢＰＦ１１４ｂを通過して送信共用器１１３から出力される。すなわち、送信共用器１１３からは３つの送信帯域ＦＢｔ１，ＦＢｔ２，ＦＢｔ３からなる送信周波数帯域ＦＢｔの送信信号が出力されて送受信共用器１１０のＢＰＦ１１０ｂに入力される。ＢＰＦ１１０ｂの通過帯域は送信周波数帯域ＦＢｔとされていることから、送信周波数帯域ＦＢｔの送信信号は送受信共用器１１０から共用端子１０１を介して出力され、共用アンテナ等に供給されるようになる。
【０００７】
図４に示す送受共用回路１００は、３つの受信帯域と３つの送信帯域の合計６周波数帯域の信号を扱うことから多くのＢＰＦやＢＥＦを組み合わせている。このため、複雑な回路となって回路規模が大きくなると共にコストが高くなるという問題点があった。
そこで、本発明は６周波数帯域の信号を扱うようにしても回路規模を小さくすることのできる送受共用回路を提供することを目的としている。
【課題を解決するための手段】
【０００８】
上記目的を達成するために、本発明の送受共用回路は、３つの受信帯域からなる受信周波数帯域の内の低域と高域の受信帯域を第１受信帯域とすると共に、該受信周波数帯域と離隔された３つの送信帯域からなる送信周波数帯域の内の低域と高域の送信帯域を第１送信帯域とする第１の無線機と、前記受信周波数帯域の内の中域の受信帯域を第２受信帯域とすると共に、前記送信周波数帯域の内の中域の送信帯域を第２送信帯域とする第２の無線機と、前記第１の無線機が接続された第１端子と、前記第２受信帯域のみを通過させる受信用バンドパスフィルタの入力側が接続された第２端子と、第３端子とを備える第１のサーキュレータと、前記第１のサーキュレータの前記第３端子が接続された第１端子と、前記第２送信帯域のみを通過させる送信用バンドパスフィルタの出力側が接続された第２端子と、前記受信周波数帯域の信号が入力されると共に前記送信周波数帯域の信号が出力される共用端子が接続された第３端子とを備える第２のサーキュレータと、出力側が前記第２の無線機が接続されている前記受信用バンドパスフィルタと、入力側が前記第２の無線機に接続されている前記送信用バンドパスフィルタとを備え、前記第１のサーキュレータにおける伝達方向は、前記第１端子から前記第３端子、前記第２端子から前記第１端子および前記第３端子から前記第２端子への方向とされ、前記第２のサーキュレータにおける伝達方向は、前記第１端子から前記第２端子、前記第２端子から前記第３端子および前記第３端子から前記第１端子への方向とされていることを最も主要な特徴としている。
【発明の効果】
【０００９】
本発明の送受共用回路では、サーキュレータとバンドパスフィルタとを組み合わせることにより、６周波数帯域の信号を扱うようにしても回路規模を小さくすることのできる送受共用回路とすることができる。
【発明を実施するための最良の形態】
【００１０】
本発明の第１実施例の送受共用回路の回路構成を示す回路ブロック図を図１に示す。
図１に示す送受共用回路１は、アンテナと３Ｇ用の第１の無線機およびＬＴＥ用の第２の無線機との間に設けられて、アンテナにより受信された受信信号を３Ｇ用の第１の無線機およびＬＴＥ用の第２の無線機とに振り分けると共に、３Ｇ用の第１の無線機およびＬＴＥ用の第２の無線機からの送信信号を合成してアンテナから放射できるようにしている。この場合の３Ｇ用の第１の無線機およびＬＴＥ用の第２の無線機の受信周波数帯域および送信周波数帯域は図３に示すとおりとされている。すなわち、３Ｇ用の第１の無線機が使用する周波数帯域は、２つの受信帯域ＦＢｒ１，ＦＢｒ３と２つの送信帯域ＦＢｔ１，ＦＢｔ３とされ、ＬＴＥ用の第２の無線機が使用する周波数帯域は、受信帯域ＦＢｒ２と送信帯域ＦＢｔ２とされている。
【００１１】
第１実施例の送受共用回路１において、共用端子１０には例えば３ＧとＬＴＥとで共用する共用アンテナが接続され、受信帯域がＦＢｒ１，ＦＢｒ３、送信帯域がＦＢｔ１，ＦＢｔ３とされている第１の無線機Ａ（１４）が第１端子１３に接続され、受信帯域がＦＢｒ２、送信帯域がＦＢｔ２とされている第２の無線機Ｂ（１８）が第２端子１７に接続されている。第１の無線機Ａの送受信端子が接続された第１端子１３には第１のサーキュレータ１１の第１端子ａ１が接続され、このサーキュレータ１１の第２端子ｂ１には通過帯域ＦＢｐが受信帯域ＦＢｒ２とされた受信用のバンドパスフィルタ（ＢＰＦ）１５の入力側が接続され、サーキュレータ１１の第３端子ｃ１には、第２のサーキュレータ１２の第１端子ａ２が接続されている。このサーキュレータ１２の第２端子ｂ２には通過帯域が送信帯域ＦＢｔ２とされた送信用のバンドパスフィルタ（ＢＰＦ）１６の出力側が接続され、第３端子ｃ２には受信周波数帯域ＦＢｒの受信信号が入力されると共に送信周波数帯域ＦＢｔの信号が出力される送受信の共用端子１０が接続されている。ＢＰＦ１５の出力側には、第２端子１７を介して第２の無線機Ｂ（１８）が接続されている。また、ＢＰＦ１６の入力側には、第２の無線機Ｂ（１８）が第２端子１７を介して接続されている。なお、第１のサーキュレータ１１における伝達方向は、第１端子ａ１から第３端子ｃ１、第２端子ｂ１から第１端子ａ１および第３端子ｃ１から第２端子ｂ１への方向とされ、第２のサーキュレータ１２おける伝達方向は、第１端子ａ２から第２端子ｂ２、第２端子ｂ２から第３端子ｃ２および第３端子ｃ２から第１端子ａ２への方向とされている。
【００１２】
この第１実施例の送受共用回路１の動作について説明すると、共用端子１０に入力された共用アンテナ等からの３つの受信帯域ＦＢｒ１，ＦＢｒ２，ＦＢｒ３からなる受信周波数帯域ＦＢｒの受信信号は、第２のサーキュレータ１２の第３端子ｃ２に入力される。この第３端子ｃ２から入力された受信周波数帯域ＦＢｒの受信信号はサーキュレータ１２の第１端子ａ２から出力され、さらに、第１のサーキュレータ１１の第３端子ｃ１に入力される。この第３端子ｃ１から入力された受信周波数帯域ＦＢｒの受信信号はサーキュレータ１１の第２端子ｂ１から出力され、受信用のＢＰＦ１５に入力される。そして、ＢＰＦ１５の通過帯域ＦＢｐは第２の無線機Ｂ（１８）用の受信帯域ＦＢｒ２のみとされていることから、ＢＰＦ１５からは第２の無線機Ｂ（１８）用の受信帯域ＦＢｒ２の受信信号のみが出力され、第２端子１７を介して第２の無線機Ｂ（１８）に入力される。
また、ＢＰＦ１５において阻止された受信帯域ＦＢｒ１，ＦＢｒ３の受信信号はＢＰＦ１５により反射されて第１のサーキュレータ１１の第２端子ｂ１に入力される。第２端子ｂ１に入力された第１の無線機Ａ（１４）用の受信帯域ＦＢｒ１，ＦＢｒ３の受信信号は、サーキュレータ１１の第１端子ａ１から出力され、第１端子１３を介して第１の無線機Ａ（１４）に入力される。これにより、共用端子１０に入力された受信周波数帯域ＦＢｒの受信信号は、受信帯域ＦＢｒ１，ＦＢｒ３の受信信号が第１の無線機Ａ（１４）に振り分けられると共に、受信帯域ＦＢｒ２の受信信号が第２の無線機Ｂ（１８）に振り分けられるようになる。
【００１３】
そして、第１の無線機Ａ（１４）から送信された送信帯域ＦＢｔ１，ＦＢｔ３の送信信号は第１端子１３を介して第１のサーキュレータ１１の第１端子ａ１に入力され、サーキュレータ１１の第３端子ｃ１から出力される。この第３端子ｃ１から出力された送信帯域ＦＢｔ１，ＦＢｔ３の送信信号は、第２のサーキュレータ１２の第１端子ａ２に入力され、サーキュレータ１２の第２端子ｂ２から出力される。この第２端子ｂ２から出力された送信帯域ＦＢｔ１，ＦＢｔ３の送信信号は送信用のＢＰＦ１６に入力されるが、ＢＰＦ１６の通過帯域ＦＢｐが第２の無線機Ｂ（１８）用の送信帯域ＦＢｔ２のみとされていることから、送信帯域ＦＢｔ１，ＦＢｔ３の送信信号はＢＰＦ１６で反射されて第２のサーキュレータ１２の第２端子ｂ２に入力される。そして、サーキュレータ１２の第３端子ｃ２から共用端子１０に出力される。
また、第２の無線機Ｂ（１８）から送信された送信帯域ＦＢｔ２の送信信号は第２端子１７を介して送信用のＢＰＦ１６に入力される。そして、送信用のＢＰＦ１６を通過した送信帯域ＦＢｔ２の送信信号は第２のサーキュレータ１２の第２端子ｂ２に入力され、サーキュレータ１２の第３端子ｃ２から共用端子１０に出力される。これにより、第１の無線機Ａ（１４）から送信された送信帯域ＦＢｔ１，ＦＢｔ３の送信信号と、第２の無線機Ｂ（１８）から送信された送信帯域ＦＢｔ２の送信信号とが共用端子１０から出力され、共用端子１０に接続されている例えば共用アンテナから放射される。
【００１４】
ところで、送信用のＢＰＦ１６は中域の送信帯域ＦＢｔ２を通過帯域としているため、隣接する低域および高域の送信帯域ＦＢｔ１，ＦＢｔ３の送信信号成分が減衰して漏洩するようになる。すると、ＢＰＦ１６から減衰して漏洩された送信帯域ＦＢｔ１，ＦＢｔ３の送信信号成分が第２端子１７を介して第２の無線機Ｂ（１８）に入力されるようになる。この場合、第１の無線機Ａ（１４）から送信された送信帯域ＦＢｔ１，ＦＢｔ３の送信電力が大きい場合は、漏洩時に減衰されてもそのレベルが大きいことから、受信帯域ＦＢｒ２の受信信号をマスキングして第２の無線機Ｂ（１８）における受信帯域ＦＢｒ２の受信信号のＳ／Ｎが劣化する恐れがある。また、サーキュレータ１１，１２の伝達方向は上記したとおりであるが、伝達方向の逆方向には減衰して漏洩するようになる。サーキュレータ１１，１２における漏洩信号の減衰量は、例えば約２０ｄＢとされる。すると、サーキュレータ１２の第２端子ｂ２に入力された送信帯域ＦＢｔ２の送信信号が第１端子ａ２から減衰して漏洩し、サーキュレータ１１を介すると共にＢＰＦ１５で反射され、第１端子１３を介して第１の無線機Ａ（１４）に入力されるようになる。この場合、第２の無線機Ｂ（１８）から送信された送信帯域ＦＢｔ２の送信電力が大きい場合は、漏洩時に減衰されてもそのレベルが大きいことから、受信帯域ＦＢｒ１，ＦＢｒ３の受信信号をマスキングして第１の無線機Ａ（１４）における受信帯域ＦＢｒ１，ＦＢｒ３の受信信号のＳ／Ｎが劣化する恐れがある。なお、受信周波数帯域ＦＢｒと送信周波数帯域ＦＢｔとは離隔されているため、ＢＰＦ１５から送信帯域ＦＢｔ２の送信信号はほとんど漏洩しない。
【００１５】
そこで、アイソレーション量を改善した第２実施例の送受共用回路２の回路構成を示す回路ブロック図を図２に示す。
図２に示す送受共用回路２は、アンテナと３Ｇ用の第１の無線機およびＬＴＥ用の第２の無線機との間に設けられて、アンテナにより受信された受信信号を３Ｇ用の第１の無線機およびＬＴＥ用の第２の無線機とに振り分けると共に、３Ｇ用の第１の無線機およびＬＴＥ用の第２の無線機からの送信信号を合成してアンテナから放射できるようにしている。この場合の３Ｇ用の第１の無線機およびＬＴＥ用の第２の無線機の受信周波数帯域および送信周波数帯域は図３に示すとおりとされている。すなわち、３Ｇ用の第１の無線機が使用する周波数帯域は、２つの受信帯域ＦＢｒ１，ＦＢｒ３と２つの送信帯域ＦＢｔ１，ＦＢｔ３とされ、ＬＴＥ用の第２の無線機が使用する周波数帯域は、受信帯域ＦＢｒ２と送信帯域ＦＢｔ２とされている。
【００１６】
第２実施例の送受共用回路２において、共用端子２０には例えば３ＧとＬＴＥとで共用する共用アンテナが接続され、受信帯域がＦＢｒ１，ＦＢｒ３、送信帯域がＦＢｔ１，ＦＢｔ３とされている第１の無線機Ａ（２４）が第１端子２３に接続され、受信帯域がＦＢｒ２、送信帯域がＦＢｔ２とされている第２の無線機Ｂ（３２）が第２端子３１に接続されている。第１の無線機Ａの送受信端子が接続された第１端子２３には第１のサーキュレータ２１の第１端子ａ１が接続され、このサーキュレータ２１の第２端子ｂ１には通過帯域ＦＢｐが受信帯域ＦＢｒ２とされた受信用のバンドパスフィルタ（ＢＰＦ）２５の入力側と、通過帯域ＦＢｐが送信帯域ＦＢｔ１，ＦＢｔ２，ＦＢｔ３とされたアイソレーション用のバンドパスフィルタ（ＢＰＦ）２６の入力側が接続されている。また、サーキュレータ２１の第３端子ｃ１には、第２のサーキュレータ２２の第１端子ａ２が接続され、第２端子ｂ２には通過帯域が送信帯域ＦＢｔ２とされた送信用のバンドパスフィルタ（ＢＰＦ）２７の出力側が接続されている。このサーキュレータ２２の第３端子ｃ２には受信周波数帯域ＦＢｒの受信信号が入力されると共に送信周波数帯域ＦＢｔの信号が出力される送受の共用端子２０が接続されている。
【００１７】
さらに、ＢＰＦ２５の出力側には、アイソレータ２８の入力端子ａ４が接続され、このアイソレータ２８の出力端子ｂ４には第３のサーキュレータ３０の第３端子ｃ３が接続されている。このサーキュレータ３０の第２端子ｂ３には第２端子３１を介して第２の無線機Ｂ（３２）が接続され、サーキュレータ３０の第１端子ａ３にはＢＰＦ２７の入力側が接続されている。さらにまた、ＢＰＦ２６の出力側にはアイソレーション用の終端抵抗２９が接続されている。なお、第１のサーキュレータ２１における伝達方向は、第１端子ａ１から第３端子ｃ１、第２端子ｂ１から第１端子ａ１および第３端子ｃ１から第２端子ｂ１への方向とされ、第２のサーキュレータ２２おける伝達方向は、第１端子ａ２から第２端子ｂ２、第２端子ｂ２から第３端子ｃ２および第３端子ｃ２から第１端子ａ２への方向とされ、第３のサーキュレータ３０の伝達方向は第１端子ａ３から第３端子ｃ３、第２端子ｂ３から第１端子ａ３および第３端子ｃ３から第２端子ｂ３への方向とされ、アイソレータ２８の伝達方向は入力端子ａ４から出力端子ｂ４の方向とされている。
【００１８】
この第２実施例の送受共用回路２の動作について説明すると、共用端子２０に入力された共用アンテナ等からの３つの受信帯域ＦＢｒ１，ＦＢｒ２，ＦＢｒ３からなる受信周波数帯域ＦＢｒの受信信号は、第２のサーキュレータ２２の第３端子ｃ２に入力される。この第３端子ｃ２から入力された受信周波数帯域ＦＢｒの受信信号はサーキュレータ２２の第１端子ａ２から出力され、さらに、第１のサーキュレータ２１の第３端子ｃ１に入力される。この第３端子ｃ１から入力された受信周波数帯域ＦＢｒの受信信号はサーキュレータ２１の第２端子ｂ１から出力され、受信用のＢＰＦ２５に入力される。そして、ＢＰＦ２５の通過帯域ＦＢｐは第２の無線機Ｂ（３２）用の受信帯域ＦＢｒ２のみとされていることから、ＢＰＦ１５２らは第２の無線機Ｂ（３２）用の受信帯域ＦＢｒ２の受信信号のみが出力され、アイソレータ２８を介して第３のサーキュレータ３０の第３端子ｃ３に入力される。この第３端子から入力された受信帯域ＦＢｒ２の受信信号はサーキュレータ３０の第２端子ｂ３から出力され、第２端子３１を介して第２の無線機Ｂ（３２）に入力される。
【００１９】
また、ＢＰＦ２５において阻止された受信帯域ＦＢｒ１，ＦＢｒ３の受信信号はＢＰＦ２５により反射されて第１のサーキュレータ２１の第２端子ｂ１に入力される。第２端子ｂ１に入力された第１の無線機Ａ（２４）用の受信帯域ＦＢｒ１，ＦＢｒ３の受信信号は、サーキュレータ２１の第１端子ａ１から出力され、第１端子２３を介して第１の無線機Ａ（２４）に入力される。これにより、共用端子２０に入力された受信周波数帯域ＦＢｒの受信信号は、受信帯域ＦＢｒ１，ＦＢｒ３の受信信号が第１の無線機Ａ（２４）に振り分けられると共に、受信帯域ＦＢｒ２の受信信号が第２の無線機Ｂ（３１）に振り分けられるようになる。
【００２０】
そして、第１の無線機Ａ（２４）から送信された送信帯域ＦＢｔ１，ＦＢｔ３の送信信号は第１端子２３を介して第１のサーキュレータ２１の第１端子ａ１に入力され、サーキュレータ２１の第３端子ｃ１から出力される。この第３端子ｃ１から出力された送信帯域ＦＢｔ１，ＦＢｔ３の送信信号は、第２のサーキュレータ２２の第１端子ａ２に入力され、サーキュレータ２２の第２端子ｂ２から出力される。この第２端子ｂ２から出力された送信帯域ＦＢｔ１，ＦＢｔ３の送信信号は送信用のＢＰＦ２７に入力されるが、ＢＰＦ２７の通過帯域ＦＢｐが第２の無線機Ｂ（３２）用の送信帯域ＦＢｔ２のみとされていることから、送信帯域ＦＢｔ１，ＦＢｔ３の送信信号はＢＰＦ２７で反射されて第２のサーキュレータ２２の第２端子ｂ２に入力される。そして、サーキュレータ２２の第３端子ｃ２から共用端子２０に出力される。
また、第２の無線機Ｂ（３２）から送信された送信帯域ＦＢｔ２の送信信号は第２端子３１を介して送信用のＢＰＦ２７に入力される。そして、送信用のＢＰＦ２７を通過した送信帯域ＦＢｔ２の送信信号は第２のサーキュレータ２２の第２端子ｂ２に入力され、サーキュレータ２２の第３端子ｃ２から共用端子２０に出力される。これにより、第１の無線機Ａ（２４）から送信された送信帯域ＦＢｔ１，ＦＢｔ３の送信信号と、第２の無線機Ｂ（３２）から送信された送信帯域ＦＢｔ２の送信信号とが共用端子２０から出力され、共用端子２０に接続されている例えば共用アンテナから放射される。
【００２１】
ところで、送信用のＢＰＦ２７は中域の送信帯域ＦＢｔ２を通過帯域としているため、隣接する低域および高域の送信帯域ＦＢｔ１，ＦＢｔ３の送信信号成分が減衰して入力側へ漏洩するようになる。しかし、ＢＰＦ２７から減衰して漏洩された送信帯域ＦＢｔ１，ＦＢｔ３の送信信号成分は、第３のサーキュレータ３０の第１端子ａ３−第３端子ｃ３を介してアイソレータ２８の出力端子ｂ４に入力されるが、この伝達方向はアイソレータ２８の順方向と逆方向とされていることからアイソレータ２８により大きく減衰される。これにより、アイソレータ２８から漏洩した送信帯域ＦＢｔ１，ＦＢｔ３における送信信号成分がＢＰＦ２５により反射されて再びアイソレータ２８および第３のサーキュレータ３０を介して第２の無線機Ｂ（３２）に入力されても、受信帯域ＦＢｒ２の受信信号はマスキングされずに第２の無線機Ｂ（３２）における受信帯域ＦＢｒ２の受信信号のＳ／Ｎが劣化することを防止することができる。また、減衰して漏洩された送信帯域ＦＢｔ１，ＦＢｔ３の送信信号成分が、第３のサーキュレータ３０の第１端子ａ３から第２端子ｂ３へさらに減衰されて漏洩するが、この成分はＢＰＦ２７およびサーキュレータ３０により減衰されていることから受信帯域ＦＢｒ２の受信信号に影響を与えることはない。なお、アイソレータ２８がない場合はＢＰＦ２７から減衰して漏洩された送信帯域ＦＢｔ１，ＦＢｔ３の送信信号成分が、第３のサーキュレータ３０の第３端子ｃ３から出力されて、ＢＰＦ２５により反射される。そして、サーキュレータ３０の第３端子ｃ３−第２端子ｂ３を介して第２の無線機Ｂ（３２）に入力され、受信信号に影響を与えるおそれが生じることになる。
【００２２】
また、第２のサーキュレータ２２の第２端子ｂ２に入力された送信帯域ＦＢｔ２の送信信号において第１端子ａ２から減衰して漏洩した成分は、第１のサーキュレータ２１の第３端子ｃ１−第２端子ｂ１を介して出力される。しかし、サーキュレータ２１の第２端子ｂ１から出力された減衰して漏洩された送信帯域ＦＢｔ２の送信信号成分は、ＢＰＦ２６を通過して終端抵抗２９により終端されるため第１のサーキュレータ２１の第２端子ｂ１へほとんど再入力されないようになる。このため、減衰して漏洩された送信帯域ＦＢｔ２の送信信号成分は、第１端子２３を介して第１の無線機Ａ（２４）に入力されることが防止されることから、受信帯域ＦＢｒ１，ＦＢｒ３の受信信号はマスキングされずに第１の無線機Ａ（２４）における受信帯域ＦＢｒ１，ＦＢｒ３の受信信号のＳ／Ｎが劣化することを防止することができる。なお、減衰して漏洩された送信帯域ＦＢｔ２の送信信号成分が、第１のサーキュレータ２１の第２端子ｂ１から第１端子ａ１へさらに減衰して漏洩するが、サーキュレータ２１およびサーキュレータ２２により減衰されていることから受信帯域ＦＢｒ１，ＦＢｒ３の受信信号に影響を与えることはない。また、ＢＰＦ２６の通過帯域ＦＢｐは広帯域とされていることからＢＰＦ２６のコストを安価にすることができる。
【産業上の利用可能性】
【００２３】
以上説明した本発明にかかる送受共用回路は、アンテナと３Ｇ用の第１の無線機およびＬＴＥ用の第２の無線機との間に設けられるとして説明したが、これに限ることはなく第１の無線機および第２の無線機における受信周波数帯域および送信周波数帯域が多バンドとされている場合に適用することができる。また、送受共用回路における共用端子はアンテナに接続することに替えて有線の通信網に接続するようにしてもよい。
【図面の簡単な説明】
【００２４】
【図１】本発明の第１実施例の送受共用回路の回路構成を示す回路ブロック図である。
【図２】本発明の第２実施例の送受共用回路の回路構成を示す回路ブロック図である。
【図３】ＬＴＥと３Ｇの携帯電話方式が使用する受信周波数帯域と送信周波数帯域を示す図である。
【図４】従来の送受共用回路の一例の構成を示す回路ブロック図である。
【符号の説明】
【００２５】
１  送受共用回路、２  送受共用回路、１０  共用端子、１１  サーキュレータ、１２  サーキュレータ、１３  第１端子、１４  無線機Ａ、１５  ＢＰＦ、１６  ＢＰＦ、１７  第２端子、１８  無線機Ｂ、２０  共用端子、２１  サーキュレータ、２２  サーキュレータ、２３  第１端子、２４  無線機Ｂ、２５  ＢＰＦ、２６  ＢＰＦ、２７  ＢＰＦ、２８  アイソレータ、２９  終端抵抗、３０  サーキュレータ、３１  第２端子、３２  無線機Ｂ、１００  送受共用回路、１０１  共用端子、１０２  第１端子、１０３  第２端子、１１０  送受信共用器、１１０ａ，１１０ｂ，１１１ｂ，１１２ａ，１１２ｂ，１１３ｂ，１１４ａ，１１４ｂ  ＢＰＦ、１１１  受信共用器、１１１ａ，１１３ａ  ＢＥＦ、１１２  送受信共用器、１１３  送信共用器、１１４  送受信共用器、ａ１，ａ２，ａ３  第１端子、ｂ１，ｂ２，ｂ３  第２端子、ｃ１，ｃ２，ｃ３  第３端子、ａ４  入力端子、ｂ４  出力端子
【図１】
2010062895.tif 000003
【図２】
2010062895.tif 000004
【図３】
2010062895.tif 000005
【図４】
2010062895.tif 000006